(57)【要約】【課題】本発明は、簡単に接続可能であり、損傷しにくい電子コネクタ及び前記電子コネクタを使用する電子機器を提供する。【解決手段】本発明に係る電子コネクタはカバー、雄コネクタモジュール及び芯出し板を備え、前記カバーに開口を設け、前記雄コネクタモジュールが前記開口に部分的に挿入されるように前記芯出し板に固定され、前記雄コネクタモジュールと、前記芯出し板とは、前記カバーの一側に滑動可能に収容される。これにより、雄コネクタモジュールが圧力を受けて所定の位置に自動的に移動することができるので、簡単に接続可能であり、電子コネクタが損傷しにくいという優れた点がある。【選択図】図２
2007109646.tif 000002
【特許請求の範囲】
【請求項１】
カバー、雄コネクタモジュール及び芯出し板を備え、
前記カバーに開口を設け、
前記雄コネクタモジュールが前記開口に部分的に挿入されるように前記芯出し板に固定される電子コネクタにおいて、
前記雄コネクタモジュールと、前記芯出し板とは、前記カバーの一側に滑動可能に収容されることを特徴とする電子コネクタ。
【請求項２】
前記開口と、前記開口に収容される前記雄コネクタモジュールの一部との間に、一定のスライド空間が形成されることを特徴とする請求項１に記載の電子コネクタ。
【請求項３】
前記芯出し板は、二つの接続端部、及び前記二つの接続端部の間に接続される支持部を有し、前記二つの接続端部にそれぞれ接続孔を設けることを特徴とする請求項２に記載の電子コネクタ。
【請求項４】
前記芯出し板は、それぞれ前記支持部と、前記二つの接続端部とを接続する曲り部を、さらに有することを特徴とする請求項３に記載の電子コネクタ。
【請求項５】
前記カバーの底部に前記接続孔と対応する二つの凸台を設け、前記凸台は前記開口の両側に設けられることを特徴とする請求項３に記載の電子コネクタ。
【請求項６】
前記接続孔と、前記凸台の外周面との間に一定のスライド空間が形成されることを特徴とする請求項５に記載の電子コネクタ。
【請求項７】
前記二つの凸台にそれぞれネジ孔を設け、ネジが前記接続孔を通して前記ネジ孔と結合され、前記接続孔と、前記ネジとの間に一定のスライド空間が形成されることを特徴とする請求項５に記載の電子コネクタ。
【請求項８】
ケース、及び前記ケースに収容される請求項１〜７のいずれか一項に記載の電子コネクタを含むことを特徴とする電子機器。
【発明の詳細な説明】
【技術分野】
【０００１】
本発明は、電子コネクタ、特に電子機器に用いられる電子コネクタに関するものである。
【背景技術】
【０００２】
ＩＣの技術、半導体の技術及び材料科学の発展と共に、パソコンは日進月歩に発展している。最初のパソコンは体積が大きくて構造が複雑であった。現在、例えばノートパソコン、ＰＤＡなどのパソコンは構造が簡単で、体積も従来のパソコンより小さい。
【０００３】
従来の移動できないパソコンと比べて、携帯パソコンは容易に移動可能であるという優位性があり、市場で受け入れられている。しかし、携帯パソコンも不便なところがある。例えば、携帯パソコンは、体積を小さくするためにキーボードをパソコンより小さくなるように設計するか、或いはある機構を使用しないことにより一部の機能を有することができない場合があった。
【０００４】
この場合、携帯パソコンは機能を拡張するためのドッキングステーションを使用することが必要となる。一般に、前記ドッキングステーションはＡＣアタプター、拡張スロット、インターネット接続用端子などを含む。ユーザが携帯パソコンにドッキングステーションを接続すると、電源、駆動装置、インターネット接続用端子などとの接続が完成して従来の複雑な接続過程を簡単化する。他に、ドッキングステーションは例えば、外部モニター、プリンター、及びキーボード、マウスなどの外部装置との接続を提供することができる。
【０００５】
図１は従来技術の携帯パソコンとドッキングステーションとの接続構成図である。携帯パソコン２の底部２０には底部２０の下表面から露出しない雌コネクタ２２を設ける。ドッキングステーション４の頂部４０には、雌コネクタ２２と対応する雄コネクタ４２を突設する。雄コネクタ４２が固定板４４に安定に設置され、前記固定板４４が複数のネジ４６を介してドッキングステーション４の頂部４０にロックされ、これにより、雄コネクタ４２はドッキングステーション４の頂部４０に固定させる。携帯パソコン２とドッキングステーション４とを接続する時に、雌コネクタ２２と雄コネクタ４２とを整列された列にする必要がある。しかし、雌コネクタ２２が携帯パソコン２の底部２０に設置されるので、ユーザは見た目に優れた列を成すことが困難になるという課題があった。
【０００６】
上述課題を解決するために、ドッキングステーション４は一つのガイド構成を形成する。例えば、雌コネクタ２２、及び雄コネクタ４２の対応する辺を円孤状の表面にし、ユーザは、雌コネクタ２２が雄コネクタに近づくように携帯パソコンを移動した後、携帯パソコン２に圧力を加えて雄コネクタ２２を前記円孤状の表面に沿って雄コネクタ４２と接続させる。前記接続過程において、雄コネクタ４２が移動せず、ユーザが携帯パソコンを移動することにより接続を実現する。しかし、ユーザが携帯パソコンを一定の位置に適切に移動できなかった場合には、携帯パソコン２に加える圧力による接触摩擦力が過大となり、円孤状の表面にはガイド作用が十分に生じないために、接続できなかったり、雌コネクタ２２や雄コネクタ４２を損傷する場合があった。
【発明の開示】
【発明が解決しようとする課題】
【０００７】
本発明は、簡単に接続可能であり、損傷しにくい電子コネクタを提供することを第一の目的とする。
【０００８】
本発明は、前記電子コネクタを使用する電子機器を提供することを第二の目的とする。
【課題を解決するための手段】
【０００９】
前記第一の目的を達成するために、本発明に係る電子コネクタはカバー、雄コネクタモジュール及び芯出し板を備え、前記カバーに開口を設け、前記雄コネクタモジュールが前記開口に部分的に挿入されるように前記芯出し板に固定され、前記雄コネクタモジュールと、前記芯出し板とは、前記カバーの一側に滑動可能に収容される。
【００１０】
前記第二の目的を達成するために、本発明に係る電子機器はケース、及び前記電子コネクタを含む。
【発明の効果】
【００１１】
前記電子コネクタにおいて、前記雄コネクタモジュールと、前記芯出し板とが滑動可能に前記カバーの一側に収容され接続される場合には、前記雄コネクタモジュールが圧力を受けて所定の位置に自動的に移動することができるので、簡単に接続可能であり、電子コネクタが損傷しにくいという優れた点がある。
【００１２】
前記電子コネクタを使用する電子機器において、前記雄コネクタモジュールと、前記芯出し板とが滑動可能に前記カバーの一側に収容され、接続される場合には、前記雄コネクタモジュールが圧力を受けて所定の位置に自動的に移動することができるので、簡単に接続可能であり、電子機器が損傷しにくいという優れた点がある。
【発明を実施するための最良の形態】
【００１３】
図２、図３及び図４を参照して、本発明の第一実施形態に係わる、例えば携帯パソコン用ドッキングステーションに用いられる電子コネクタを説明する。
【００１４】
図２を参照して、電子コネクタ６は、カバー６０と、雄コネクタモジュール６２と、芯出し板６４と、及び複数のネジ６６、６８とを含む。カバー６０、雄コネクタモジュール６２、及び芯出し板６４は、順序に積み重ねて一体に形成する。
【００１５】
図３及び図４を同時に参照して、カバー６０には、雄コネクタモジュール６２が貫通される開口６００を設ける。開口６００の辺部と、雄コネクタモジュール６２の対応する側壁との間に、スライド空間が形成されるように、開口６００の大きさを形成する。カバー６０の底部から下向きへ向けて延在し二つの凸台６０２を形成する。前記二つの凸台６０２は開口６００の両側部に設けられる。本実施形態において、凸台６０２は円形状にされる。
【００１６】
雄コネクタモジュール６２は、雄コネクタ６２０、固定板６２２、ネジ６２４、及び回路基板６２６を含む。雄コネクタ６２０が固定板６２２に固定され、固定板６２２がネジ６２４を介して回路基板６２６に固定され、これによって、雄コネクタ６２０は回路基板６２６に固定される。
【００１７】
芯出し板６４は、二つの接続端部６４０、支持部６４２、及びそれぞれ接続端部６４０と支持部６４２とを接続する二つの曲り部（図示せず）を有する。二つの接続端部６４０に、それぞれカバー６０の凸台６０２と対応し、且つネジ６６が貫通できる接続孔６４４を設け、接続孔６４４の直径が凸台６０２及びネジ６６の直径より大きく、これにより、接続孔６４４の側辺から、凸台６０２及びネジ６６の外周面までに一定のスライド空間が形成される。支持部６４２には、ネジ６２４と合うネジ孔６４６、及びネジ６８が貫通できる貫通孔６４８を設ける。
【００１８】
接続する場合には、雄コネクタ６２０を固定板６２２を介して回路基板６２６に固定させ、ネジ６２４、６８で雄コネクタモジュール６２と芯出し板６４の支持部６４２とを一体にロックさせる。雄コネクタモジュール６２の雄コネクタ６２０をカバー６０の底部から、開口６００の中に挿入し、且つ雄コネクタ６２０をカバー６０から突出させる。芯出し板６４の接続端部６４０の接続孔６４４と、凸台６０２とは、ネジ６６を介してロックされる。接続孔６４４の側辺から、凸台６０２及びネジ６６の外周面までに一定のスライド空間が形成されると同時に、開口６００の側辺と、雄コネクタモジュール６２との間に一定のスライド空間が形成される。これにより、ネジ６６は滑動可能にロックされ、即ち、雄コネクタモジュール６２と芯出し板６４とは垂直方向でロックされるが、水平方向では前記一定のスライド空間内で滑動可能なようにロックされる。
【００１９】
図５を同時に参照して、携帯パソコン８を、例えばドッキングステーション７などの電子機器に接続する場合には、携帯パソコン８の底部８０の雌コネクタ８２と、ドッキングステーション７内に収容され且つケース７０の頂部での開口７００から突出される雄コネクタモジュール６２の雄コネクタ６２０と、を整列された列に形成する。電子コネクタ６のカバー６０は、開口６００と開口７００とを重ね合わせるように、ドッキングステーション７のケース７０と対応して設置される。この際に、開口７００は開口６００の大きさよりも小さくない。電子コネクタ６のカバー６０とケース７０とを一体に形成し、開口６００をドッキングステーション７の開口７００の代わりにしてもよい。
【００２０】
雌コネクタ８２と雄コネクタ６２０とが整列された列を形成する場合、携帯パソコン８を押すと雄コネクタ６２０にも圧力が加えられる。この時に、接触する摩擦力が大きくても、雌コネクタ８２と雄コネクタ６２０との接触面が傾斜面であるので、前記摩擦力は垂直方向の分力及び水平方向の分力に分解される。芯出し板６４は、同一平面に形成されない接続端部６４０、支持部６４２、及び前記曲り部からなり、湾曲変形に対する抵抗力がより大きいので、前記垂直方向の分力は、指示部材６４を湾曲変形させることができず、或は変形量が無視できる程非常に小さい。接続孔６４４の側辺から凸台６０２及びネジ６６の外周面までに一定のスライド空間が形成されるので、雄コネクタ６２０に前記水平方向の分力を加える場合には、雄コネクタ６２と芯出し板６４とは水平方向で、雌コネクタ８２と雄コネクタ６２０とは完全に整列された列を形成するように滑動可能とされる。この場合には、ユーザの押圧力及び携帯パソコン８の自重によって、雄コネクタ６２０は雌コネクタ８２に完全に挿入することができる。
【００２１】
芯出し板６４の形状、複数の接続孔６４４、ネジ孔６４６及び貫通孔６４８は対称に設置されてもよく、非対称に設置されてもよい。接続端部６４０と支持部６４２とは平行に設置されてもよく、一定の角度を形成するように非平行的に設置されてもよい。十分な湾曲変形に対する抵抗力がある場合に、前記曲り部を形成せず接続端部６４０及び支持部６４２を同一平面上に形成してもよい。芯出し板６４は片状、柱状、又はその他の形状に形成される。接続孔６４４の直径は少なくとも凸台６０２又はネジ６６の一つの直径より大きく設けられる。接続孔６４４の直径が凸台６０２の直径より大きい場合には、接続孔６４４は凸台６０２の外周面を覆って設けられるが、接続孔６４４の直径がネジ６６の直径より大きい場合には、接続孔６４４はネジ６６の外周面を覆って設けられる。凸台６０２は円台状、方形台状、又はその他の形状に形成される。また、電子コネクタ６はドッキングステーションに利用されるのみならず、携帯パソコン及びその他の電子機器にも利用される。
【図面の簡単な説明】
【００２２】
【図１】従来の携帯パソコン及びドッキングステーションの立体図である。
【図２】本発明の実施形態に係る電子コネクタの分解図である。
【図３】図２の電子コネクタの接続図である。
【図４】図３の電子コネクタのＩＶ−ＩＶ線に沿った断面図である。
【図５】図２の電子コネクタを利用する携帯パソコン及びドッキングステーションの立体図である。
【符号の説明】
【００２３】
６  電子コネクタ
７  ドッキングステーション
８  携帯パソコン
６０  カバー
６２  雄コネクタモジュール
６４  芯出し板
６６  ネジ
６８  ネジ
７０  ケース
８０  底部
８２  雌コネクタ
６００  開口
６０２  凸台
６２０  雄コネクタ
６２２  固定板
６２４  ネジ
６２６  回路基板
６４０  接続端部
６４２  支持部
６４４  接続孔
６４６  ネジ孔
６４８  貫通孔
７００  開口
【図１】
2007109646.tif 000003
【図２】
2007109646.tif 000004
【図３】
2007109646.tif 000005
【図４】
2007109646.tif 000006
【図５】
2007109646.tif 000007